【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
インストール用のカスタマイズされたデバイスドライバを作成するカスタマイズアプリケーションを備える情報処理装置であって、
前記カスタマイズアプリケーションを実行して、デバイスドライバのカスタマイズ可能な項目を含む設定画面を表示する表示手段と、
前記カスタマイズアプリケーションを実行して、前記設定画面を介した設定に応じて、デバイスドライバをカスタマイズすることにより、操作を制限するべき項目を登録する登録手段と、
前記登録手段により登録された項目を前記デバイスドライバのユーザインタフェース関連データに対して、前記カスタマイズアプリケーションの実行に応じて、書き込む書き込み手段と、
前記デバイスドライバをインストールして起動すると、前記ユーザインタフェース関連データを参照して、前記操作を制限された項目を含む前記デバイスドライバのユーザインタフェースを表示するユーザインタフェース表示手段と、
を有することを特徴とする情報処理装置。
【請求項２】
前記ユーザインタフェース表示手段は、前記カスタマイズされた項目により設定が禁止されている項目を識別可能に表示することを特徴とする請求項１に記載の情報処理装置。
【請求項３】
前記カスタマイズアプリケーションは、カスタマイズされたプリンタドライバとインストーラとを含むことを特徴とする請求項１に記載の情報処理装置。
【請求項４】
インストール用のカスタマイズされたデバイスドライバを作成するカスタマイズアプリケーションから呼び出されたときにデバイスドライバのユーザインタフェースプログラムを実行することで、デバイスドライバのユーザインタフェースの画面を、デバイスドライバの設定のカスタマイズのために表示する表示手段と、
前記表示手段により表示されるデバイスドライバのユーザインタフェースの画面からの設定を入力する入力手段と、
前記入力手段により入力される設定をカスタマイズ用の設定として設定する設定手段と、
を備えることを特徴とする情報処理装置。
【請求項５】
前記入力手段は、プリンタの機能に対するカスタマイズ用の設定を入力することを特徴とする請求項４に記載の情報処理装置。
【請求項６】
前記入力手段は、プリンタドライバに対するレイアウト、用紙サイズ、ウォーターマーク、画像処理、出力方法のうちの少なくとも１つの設定を含むカスタマイズ用の設定を入力をすることを特徴とする請求項４に記載の情報処理装置。
【請求項７】
インストール用のカスタマイズされたデバイスドライバを作成するカスタマイズアプリケーションを備える情報処理装置が実行する情報処理方法であって、
前記カスタマイズアプリケーションを実行して、デバイスドライバのカスタマイズ可能な項目を含む設定画面を表示する表示工程と、
前記カスタマイズアプリケーションを実行して、前記設定画面を介した設定に応じて、デバイスドライバをカスタマイズすることにより、操作を制限するべき項目を登録する登録工程と、
前記登録工程で登録された項目を前記デバイスドライバのユーザインタフェース関連データに対して、前記カスタマイズアプリケーションの実行に応じて、書き込む書き込み工程と、
前記デバイスドライバをインストールして起動すると、前記ユーザインタフェース関連データを参照して、前記操作を制限された項目を含む前記デバイスドライバのユーザインタフェースを表示するユーザインタフェース表示工程と、
を有することを特徴とする情報処理方法。
【請求項８】
前記ユーザインタフェース表示工程は、前記カスタマイズされた項目により設定が禁止されている項目を識別可能に表示することを特徴とする請求項７に記載の情報処理方法。
【請求項９】
前記カスタマイズアプリケーションは、カスタマイズされたプリンタドライバとインストーラとを含むことを特徴とする請求項７に記載の情報処理方法。
【請求項１０】
インストール用のカスタマイズされたデバイスドライバを作成するカスタマイズアプリケーションから呼び出されたときにデバイスドライバのユーザインタフェースプログラムを実行することで、デバイスドライバのユーザインタフェースの画面を、デバイスドライバの設定のカスタマイズのために表示する表示工程と、
前記表示工程で表示されるデバイスドライバのユーザインタフェースの画面からの設定を入力する入力工程と、
前記入力工程で入力される設定をカスタマイズ用の設定として設定する設定工程と、
を有することを特徴とする情報処理方法。
【請求項１１】
前記入力工程は、プリンタの機能に対するカスタマイズ用の設定を入力することを特徴とする請求項１０に記載の情報処理方法。
【請求項１２】
前記入力工程は、プリンタドライバに対するレイアウト、用紙サイズ、ウォーターマーク、画像処理、出力方法のうちの少なくとも１つの設定を含むカスタマイズ用の設定を入力をすることを特徴とする請求項１０に記載の情報処理方法。
【請求項１３】
請求項７から１２までのいずれか１項に記載の情報処理方法をコンピュータに実行させるためのプログラム。
【請求項１４】
請求項１３に記載のプログラムを格納したコンピュータ読み取り可能な記憶媒体。
【手続補正２】
【補正対象書類名】明細書
【補正対象項目名】発明の名称
【補正方法】変更
【補正の内容】
【発明の名称】情報処理装置及び方法
【手続補正３】
【補正対象書類名】明細書
【補正対象項目名】０００１
【補正方法】変更
【補正の内容】
【０００１】
本発明は、ユーザが任意の値をデフォルト値として指定できる情報処理装置及び方法に関するものである。
【手続補正４】
【補正対象書類名】明細書
【補正対象項目名】０００８
【補正方法】変更
【補正の内容】
【０００８】
本発明の一側面に係る情報処理装置は例えば、以下のような構成を備える。即ち、インストール用のカスタマイズされたデバイスドライバを作成するカスタマイズアプリケーションを備える情報処理装置であって、前記カスタマイズアプリケーションを実行して、デバイスドライバのカスタマイズ可能な項目を含む設定画面を表示する表示手段と、前記カスタマイズアプリケーションを実行して、前記設定画面を介した設定に応じて、デバイスドライバをカスタマイズすることにより、操作を制限するべき項目を登録する登録手段と、前記登録手段により登録された項目を前記デバイスドライバのユーザインタフェース関連データに対して、前記カスタマイズアプリケーションの実行に応じて、書き込む書き込み手段と、前記デバイスドライバをインストールして起動すると、前記ユーザインタフェース関連データを参照して、前記操作を制限された項目を含む前記デバイスドライバのユーザインタフェースを表示するユーザインタフェース表示手段とを有することを特徴とする。
【手続補正５】
【補正対象書類名】明細書
【補正対象項目名】０００９
【補正方法】変更
【補正の内容】
【０００９】
本発明の別の側面に係る情報処理方法は例えば、以下のような工程を備える。即ち、インストール用のカスタマイズされたデバイスドライバを作成するカスタマイズアプリケーションを備える情報処理装置が実行する情報処理方法であって、前記カスタマイズアプリケーションを実行して、デバイスドライバのカスタマイズ可能な項目を含む設定画面を表示する表示工程と、前記カスタマイズアプリケーションを実行して、前記設定画面を介した設定に応じて、デバイスドライバをカスタマイズすることにより、操作を制限するべき項目を登録する登録工程と、前記登録工程で登録された項目を前記デバイスドライバのユーザインタフェース関連データに対して、前記カスタマイズアプリケーションの実行に応じて、書き込む書き込み工程と、前記デバイスドライバをインストールして起動すると、前記ユーザインタフェース関連データを参照して、前記操作を制限された項目を含む前記デバイスドライバのユーザインタフェースを表示するユーザインタフェース表示工程とを有することを特徴とする。
【手続補正６】
【補正対象書類名】明細書
【補正対象項目名】００１０
【補正方法】変更
【補正の内容】
【００１０】
本発明の更に別の側面に係る情報処理装置は例えば、以下のような構成を備える。即ち、インストール用のカスタマイズされたデバイスドライバを作成するカスタマイズアプリケーションから呼び出されたときにデバイスドライバのユーザインタフェースプログラムを実行することで、デバイスドライバのユーザインタフェースの画面を、デバイスドライバの設定のカスタマイズのために表示する表示手段と、前記表示手段により表示されるデバイスドライバのユーザインタフェースの画面からの設定を入力する入力手段と、前記入力手段により入力される設定をカスタマイズ用の設定として設定する設定手段とを有することを特徴とする。
また、本発明の更に別の側面に係る情報処理方法は以下の構成を有する。即ち、インストール用のカスタマイズされたデバイスドライバを作成するカスタマイズアプリケーションを備える情報処理装置が実行する情報処理方法であって、前記カスタマイズアプリケーションを実行して、デバイスドライバのカスタマイズ可能な項目を含む設定画面を表示する表示工程と、前記カスタマイズアプリケーションを実行して、前記設定画面を介した設定に応じて、デバイスドライバをカスタマイズすることにより、操作を制限するべき項目を登録する登録工程と、前記登録工程で登録された項目を前記デバイスドライバのユーザインタフェース関連データに対して、前記カスタマイズアプリケーションの実行に応じて、書き込む書き込み工程と、前記デバイスドライバをインストールして起動すると、前記ユーザインタフェース関連データを参照して、前記操作を制限された項目を含む前記デバイスドライバのユーザインタフェースを表示するユーザインタフェース表示工程とを有することを特徴とする。